(57)【要約】【課題】入力映像からレターボックス領域を検出し、レターボックスを除く映像領域を縦横比を維持したままディスプレイの全領域に表示することが可能な映像表示装置を提供する。【解決手段】横／縦が１．７８以上である表示部と、映像信号を入力する入力部と、入力された映像信号の、水平同期信号、垂直同期信号、ドットクロック周波数を計測する計測部と、計測部の計測結果から信号種を判別する判別部と、信号判別部の判別結果に基づき映像信号の縦横比を維持したまま映像信号の水平画素数が表示部の水平画素数と一致するように解像度変換する変換部と、解像度変換された映像信号のうち表示部の縦横の画素数と一致する長方形領域を切り出す切出部と、入力映像からレターボックス領域を検出する検出部と、を備え、横／縦が表示部のそれよりも小さな映像信号入力時に、切出部にて切り出す長方形領域を判別部の判別結果および検出部の検出結果から自動決定する。【選択図】図１
2010237394.tif 000002
【特許請求の範囲】
【請求項１】
縦横の長さの比が縦１に対して横１．７８以上である表示部と、
外部より映像信号を入力する入力部と、
入力された映像信号の水平同期信号および垂直同期信号およびドットクロック周波数を計測する計測部と、
計測部における計測結果から信号種を判別する判別部と、
信号判別部の判別結果に基づき映像信号の縦横比を維持したまま映像信号の水平画素数が表示部の水平画素数と一致するように解像度変換する変換部と、
解像度変換された映像信号のうち表示部の縦横の画素数と一致する長方形領域を切り出す切出部と、
入力映像からレターボックス領域を検出する検出部と、
を備え、
縦の長さに対する横の長さの比が表示部のそれよりも小さな映像信号入力時に、切出部において切り出す長方形領域を判別部の判別結果および検出部の検出結果から自動決定することを特徴とする映像表示装置。
【発明の詳細な説明】
【技術分野】
【０００１】
本発明は、映像表示装置に関するものであり、特に表示部の縦横比とは異なる縦横比の映像信号を表示する直視型の映像表示装置に関する。
【背景技術】
【０００２】
ブラウン管や、プラズマディスプレイ・液晶ディスプレイに代表されるフラットパネルディスプレイは、その技術の進展に伴い、従来の縦横比４：３（横：縦）の映像信号だけでなく縦横比１６：９（横：縦）の映像信号が規格化されて一般に広まっている。
【０００３】
また、フラットパネルディスプレイがパソコンと接続されるケースが増え、様々な縦横比・解像度の信号がディスプレイに入力されている。
【０００４】
そこで、ディスプレイ固有の解像度・縦横比とは異なる解像度・縦横比の信号を表示する技術が発表されている（例えば、特許文献１参照）。
【特許文献１】特許第３７９７８３８号公報
【発明の開示】
【発明が解決しようとする課題】
【０００５】
ところで、前述した従来技術は、映像信号の有効映像領域の全域に表示すべき映像がある場合を前提としている。しかし、縦横比２．３５：１の映画が縦横比１６：９の映像信号化された放送・ＤＶＤなどが数多くあるように、必ずしも信号の有効映像領域の全域に表示すべき映像があるとは限らない。
【０００６】
しかし、プラズマディスプレイ、ＬＣＤなどの直視型の映像表示装置においては、表示部の縦横比が固定であり、１６：９の映像信号と縦横比が一致するものが一般的である。結果として、映画コンテンツはディスプレイの中心付近のみに表示されるか、あるいはコンテンツの中心付近の１６：９の領域のみを拡大して表示されるか、あるいは映像の縦横比を維持せずに水平方向に縮小することで２．３５：１の映像を１６：９のディスプレイに表示されるか、いずれかの方法で表示されなければならない。又、映像を表示する位置・縦横比をユーザが操作又は選択又は調節する必要がある。
【０００７】
本発明はこのような現状に鑑みなされたもので、映画コンテンツを含む映像信号に対して、入力映像からレターボックス領域を検出し、レターボックスを除く映像領域を縦横比を維持したままディスプレイの全領域に表示する映像表示を可能とする映像表示装置を提供することを目的とする。
【課題を解決するための手段】
【０００８】
上記目的を実現するために本発明の映像表示装置は、縦横の長さの比が縦１に対して横１．７８以上である表示部と、外部より映像信号を入力する入力部と、入力された映像信号の水平同期信号および垂直同期信号およびドットクロック周波数を計測する計測部と、計測部における計測結果から信号種を判別する判別部と、信号判別部の判別結果に基づき映像信号の縦横比を維持したまま映像信号の水平画素数が表示部の水平画素数と一致するように解像度変換する変換部と、解像度変換された映像信号のうち表示部の縦横の画素数と一致する長方形領域を切り出す切出部と、入力映像からレターボックス領域を検出する検出部と、を備え、縦の長さに対する横の長さの比が表示部のそれよりも小さな映像信号入力時に、切出部において切り出す長方形領域を判別部の判別結果および検出部の検出結果から自動決定することを特徴とするものである。
【発明の効果】
【０００９】
本発明によれば、映画コンテンツを含む映像信号に対して、入力映像からレターボックス領域を検出し、レターボックスを除く映像領域を縦横比を維持したままディスプレイの全領域に表示する映像表示を可能とする映像表示装置が提供できる。
【発明を実施するための最良の形態】
【００１０】
すなわち本発明の請求項１に記載の発明は、縦横の長さの比が縦１に対して横１．７８以上である表示部と、外部より映像信号を入力する入力部と、入力された映像信号の水平同期信号および垂直同期信号およびドットクロック周波数を計測する計測部と、計測部における計測結果から信号種を判別する判別部と、信号判別部の判別結果に基づき映像信号の縦横比を維持したまま映像信号の水平画素数が表示部の水平画素数と一致するように解像度変換する変換部と、解像度変換された映像信号のうち表示部の縦横の画素数と一致する長方形領域を切り出す切出部と、入力映像からレターボックス領域を検出する検出部と、を備え、縦の長さに対する横の長さの比が表示部のそれよりも小さな映像信号入力時に、切出部において切り出す長方形領域を判別部の判別結果および検出部の検出結果から自動決定することを特徴とする映像表示装置である。
【００１１】
以下、図を用いて本発明の一実施の形態による映像表示装置について説明する。
【００１２】
図１は、本発明の一実施の形態による映像表示装置の概略構成を示すブロック図である。
【００１３】
入力部１０１は外部より入力される映像信号を受け、計測部１０２は入力された映像信号の水平同期信号および垂直同期信号およびドットクロック周波数を計測する。
【００１４】
判別部１０３は信号種ごとに水平同期信号および垂直同期信号およびドットクロック周波数の対応表を持ち、計測部１０２の計測結果に基づき入力された映像信号の信号種を判別する。
【００１５】
変換部１０４は、判別部１０３の判別結果に基づき、映像信号の水平画素数が表示部の水平画素数に一致するよう拡大率を求め、拡大率に基づき映像信号を水平方向に拡大する。又、垂直方向についても同じ拡大率で拡大する。これらの拡大操作により、映像信号の縦横比は維持される。
【００１６】
検出部１０５は、上部レターボックスライン数候補および下部レターボックスライン数候補の値をそれぞれ複数を保持するメモリ領域を持つ。入力された映像信号の各ラインについて輝度レベルを観測し、各ラインにおける平均輝度レベルを算出する。平均輝度レベルに閾値を定義し、平均輝度レベルが閾値以下のラインをレターボックス候補とする。ライン数に閾値を定義し、Ｖ同期の直後から各ラインの平均輝度レベルを観測し、レターボックス候補でないラインが閾値以上続いたら、最後のレターボックス候補のライン数を、上部レターボックスライン数候補として、メモリに保持する。レターボックス候補でないラインが閾値以上続くことなく次のＶ同期に達した場合には、何もしない。
【００１７】
上部レターボックスライン数候補をメモリに追加した後、以降のラインについて平均輝度レベルを算出し、別のライン数閾値を定義し、閾値以上レターボックス候補のラインが連続したら、それらのうち最初のレターボックス候補のライン数を下部レターボックスライン数候補とし、値をメモリに保持する。レターボックス候補のラインが閾値以上連続しない場合には、Ｖ同期直前のライン数の値をメモリに保持する。
【００１８】
以上の操作を複数のフィールドについて観測し、上部レターボックスライン数候補および下部レターボックスライン数候補をそれぞれ複数メモリに保持する。保持された複数の上部レターボックスライン数候補の中央値を拡大前上部レターボックスライン数、下部レターボックスライン数候補の中央値を拡大前下部レターボックスライン数とする。
【００１９】
切出部１０６は、検出部１０５で算出した拡大前上部レターボックスライン数に変換部１０４で求めた拡大率を乗算し、拡大後上部レターボックスライン数とする。同様に、検出部１０５で検出した拡大前下部レターボックスライン数に変換部１０４で求めた拡大率を乗算し、拡大後、下部レターボックスライン数とする。切出部１０６は、変換部１０４において拡大された映像のうち拡大後上部レターボックスライン数から拡大後下部レターボックスライン数までの領域を有効映像領域とし、有効映像領域の前後にバックポーチ・フロントポーチを設けた映像信号を生成する。
【００２０】
表示部１０７は、切出部１０６において生成した映像信号を表示する。
【００２１】
以上の処理により、上下にレターボックスのある映画コンテンツなどの映像信号に対し、レターボックス領域を除いた映像領域を縦横比を維持したままディスプレイの全域を用いて表示することが可能となる。
【００２２】
すなわち、本発明の一実施の形態である、上述した映像表示装置によれば、上下にレターボックス（映画において映像部分の上下に位置し、映像の表示されない領域）のある映画コンテンツなどの映像信号に対し、レターボックス領域を除いた映像領域を縦横比を維持したままディスプレイの全域を用いて表示することが可能となる。
【産業上の利用可能性】
【００２３】
以上のように本発明は、ブラウン管、ＬＣＤ、プラズマディスプレイなど、映像表示装置を提供する上で有用な発明である。
【図面の簡単な説明】
【００２４】
【図１】本発明の一実施の形態による映像表示装置の概略構成を示すブロック図
【符号の説明】
【００２５】
１０１  入力部
１０２  計測部
１０３  判別部
１０４  変換部
１０５  検出部
１０６  切出部
１０７  表示部
【図１】
2010237394.tif 000003